(57)【要約】揮発性組成物ディスペンサ（１）であって、フレーム開口部（２０１）を有するリアフレーム（２００）を備えるハウジング（１０）と、フレーム開口部（２０１）内に移動可能に配設されている押しボタン（２０）と、押しボタン（２０）と整列されているカートリッジ（３０）と、を備え、当該カートリッジ（３０）が、オリフィスを有し、かつ揮発性組成物（３１）を含有する容器（３２）と、オリフィスにシール可能に取り付けられ、かつオリフィスを覆っている、破裂可能な基材（３３）と、破裂可能な基材（３３）に隣接する破裂要素（３７）と、押しボタン（２０）及び破裂要素（３７）と整列されている弾性部材（３８）と、を備え、押しボタン（２０）に圧力を受けると、当該弾性部材は、破裂要素（３７）が破裂可能な基材（３３）と係合する第１の位置に破裂要素（３７）を移動させ、押しボタン（２０）から圧力が除去されると、当該弾性部材は、押しボタン（２０）上に力を及ぼし、破裂要素（３７）が破裂可能な基材（３３）と係合していない第２の位置に破裂要素（３７）を移動させる、揮発性組成物ディスペンサ（１）が存在する。
2019514495.tif 000002
【特許請求の範囲】
【請求項１】
揮発性組成物ディスペンサ（１）であって、
フレーム開口部（２０１）を有するリアフレーム（２００）を備えるハウジング（１０）と、
前記フレーム開口部（２０１）内に移動可能に配設されている押しボタン（２０）と、
前記押しボタン（２０）と整列されているカートリッジ（３０）と、を備え、前記カートリッジ（３０）が、オリフィスを有し、かつ揮発性組成物（３１）を含有する容器（３２）と、前記オリフィスにシール可能に取り付けられ、かつ前記オリフィスを覆っている、破裂可能な基材（３３）と、前記破裂可能な基材（３３）に隣接する破裂要素（３７）と、前記押しボタン（２０）及び前記破裂要素（３７）と整列されて、
前記押しボタン（２０）に圧力を受けると、エネルギーを貯蔵し、かつ前記破裂要素（３７）が前記破裂可能な基材（３３）と係合する第１の位置に前記破裂要素（３７）を移動させ、かつ
前記押しボタン（２０）からの前記圧力が除去されると、前記押しボタン（２０）上に力を及ぼし、かつ前記破裂要素（３７）が前記破裂可能な基材（３３）と係合しない第２の位置に前記破裂要素（３７）を移動させる、弾性部材（３８）と、を備える、揮発性組成物ディスペンサ（１）。
【請求項２】
前記開口部（２０１）の外縁（２０７）における近位端部（４１）、及び前記開口部に延在している遠位端部（４２）を有する、内壁（４０）と、
前記押しボタン（２０）のボタン本体（２２）と前記内壁（４０）との間の間隙（６０）と、
前記内壁（４０）の前記遠位端部（４１、２３）又は前記ボタン本体（２２）に配設されている突起部（５０）であって、前記間隙（６０）内に配置されている、前記突起部（５０）と
を更に備える、請求項１に記載の揮発性組成物ディスペンサ（１）。
【請求項３】
前記突起部（５０）が、前記内壁（４０）又は前記ボタン本体（２２）の一方に隣接している第１の表面（５０２）を備え、前記内壁（４０）又は前記ボタン本体（２２）に対する前記第１の表面の角度Ａが、前記内壁（４０）の前記近位端部（４１）又は前記遠位端部（４２）から前記内壁（４０）に前記ボタン（２０）を挿入するように構成されている、請求項２に記載の揮発性組成物ディスペンサ（１）。
【請求項４】
前記突起部（５０）が、前記内壁（４０）又は前記ボタン本体（２２）における２つの細長いチャネル間に配設されて、カンチレバースナップ嵌合を画定している、請求項２〜３のいずれか一項に記載の揮発性組成物ディスペンサ（１）。
【請求項５】
前記内壁（４０）及び前記ボタン本体（２２）が、共軸であり、かつ実質的に円筒形状であり、前記内壁（４０）が、内径φ１を含み、前記ボタン本体（２２）が、外径φ２を含み、前記間隙（５０）の幅Ｗが、Ｗ＝（φ１−φ２）／２ミリメートル（ｍｍ）として定義される、請求項２〜４のいずれか一項に記載の揮発性組成物ディスペンサ（１）。
【請求項６】
前記内壁（４０）又は前記ボタン本体（２２）の一方の上に配設されているランプ（７０）を更に備え、前記突起部（５０）が、第１の位置において、前記ランプ（７０）から離間されており、押し込まれたときに、前記ボタン（２０）の移動を制限するように、第２の位置において、前記ランプ（７０）に当接する、請求項３から５のいずれか一項に記載の揮発性組成物ディスペンサ（１）。
【請求項７】
前記内壁（４０）又は前記ボタン本体（２２）の一方の上に配設されているガイドレール（８０）を更に備え、前記ガイドレール（８０）が、第１の端部（８１）及び第２の端部（８２）を備え、前記ランプ（７０）が、前記第１の端部（８１）又は前記第２の端部（８２）に位置している、請求項６に記載の揮発性組成物ディスペンサ（１）。
【請求項８】
前記突起部（５０）が、前記ガイドレール（８０）に係合するように構成されている、請求項７に記載の揮発性組成物ディスペンサ（１）。
【請求項９】
前記ガイドレール（８０）が、前記内壁（４０）又は前記ボタン本体（２２）に対して平行である、請求項８に記載の揮発性組成物ディスペンサ（１）。
【請求項１０】
前記押しボタン（２０）が、前記押しボタン（２０）への力に応答して、長手方向軸（１０００）に沿って軸方向に移動可能であり、かつ回転角度β（度）で長手方向軸を中心に回転可能であり、前記ガイドレール（８０）が、前記内壁（４０）又は前記ボタン本体（２２）の円筒軸に対してカム角度α（度）を含むカムガイド（８０）であり、α＞βである、請求項８に記載の揮発性組成物ディスペンサ（１）。
【請求項１１】
前記カートリッジ（３０）が、
壁（３４１）内の円周方向に延在して、溝（３４１）の内側の中央部分（３４３）及び前記溝（３４２）の外側の外側部分（３４４）を画定する、前記溝（３４２）を備える、前記壁（３４１）を備える、破裂機構（３４）を備え、前記中央部分（３４３）が、実質的に平面の第１の表面（３４５）を備え、
前記弾性部材（３８）が、前記外側部分（３４４）を前記中央部分（３４３）に取り付けるばねであり、前記破裂要素（３７）が、前記破裂機構（３４）内に配置されている、請求項１〜１０のいずれかに記載の揮発性組成物ディスペンサ（１）。
【請求項１２】
前記弾性部材（３８）が、前記外側部分（３４４）に取り付けられている第１のアーム（３８２）と、前記中央部分（３４４）に取り付けられている第２のアーム（３８３）と、前記第１のアームと前記第２のアーム（３８２、３８３）との間の細長いチャネル部材（３８４）と、を備え、前記細長いチャネル部材（３８４）が、前記中央部分（３４３）の前記第１の表面（３４５）に実質的に平行なチャネル幅（Ｗ１）を含む、請求項１１に記載の揮発性組成物ディスペンサ（１）。
【請求項１３】
前記細長いチャネル部材（３８４）が、前記チャネル幅（Ｗ１）よりも大きいチャネル長さ（Ｌ１）を含む、請求項１２に記載の揮発性組成物ディスペンサ（１）。
【請求項１４】
前記細長いチャネル部材（３８４）が、実質的にＵ形状を形成するように配置されている、２つの側梁（３８５）及び底梁（３８６）を備える、請求項１１又は請求項１２に記載の揮発性組成物ディスペンサ（１）。
【請求項１５】
揮発性組成物ディスペンサを組み立てる方法であって、
フレーム開口部、及び前記開口部内の中央に配設されている長手方向軸（１０００）を有するリアフレームを備えるハウジングを提供する工程と、
前記フレーム開口部に押しボタンを挿入する工程であって、前記ボタンが、前記フレーム開口部内で移動可能である、工程と、
カートリッジを前記押しボタンと整列させる工程であって、前記カートリッジが、オリフィスを有し、かつ揮発性組成物（３１）を含有する容器（３２）と、前記オリフィスにシール可能に取り付けられ、かつ前記オリフィスを覆っている破裂可能な基材（３３）と、前記破裂可能な基材（３３）に隣接する破裂要素（３７）と、前記押しボタン（２０）及び前記破裂要素（３７）と整列されて、前記押しボタン（２０）に圧力を受けると、エネルギーを貯蔵し、かつ前記破裂要素（３７）が前記破裂可能な基材（３３）と係合する第１の位置に前記破裂要素（３７）を移動させ、かつ前記押しボタン（２０）から前記圧力が除去されると、前記押しボタン（２０）上に力を及ぼし、かつ前記破裂要素（３７）が前記破裂可能な基材（３３）と係合しない第２の位置に前記破裂要素（３７）を移動させる、弾性部材（３８）と、を備える、工程と
前記カートリッジを前記リアフレームに取り付ける工程と、
を含む、方法。
【発明の詳細な説明】
【技術分野】
【０００１】
本発明は、揮発性物質製品のパッケージング、特に、揮発性組成物カートリッジが押されると、カートリッジ内に偏向が生じるように構成されている破裂機構を有する揮発性組成物カートリッジに関する。より具体的には、本発明は、揮発性組成物カートリッジと、揮発性組成物カートリッジのための押しボタンハウジングと、を備える、揮発性物質を送達するための揮発性組成物ディスペンサであって、押しボタンが、格納可能である、揮発性組成物ディスペンサ、並びに揮発性物質を送達するための押しボタンハウジングに揮発性組成物ディスペンサを取り付ける方法に関する。
【背景技術】
【０００２】
大気に揮発性物質を送達するためのシステムが、当該技術分野において周知である。そのようなシステムは、防虫剤、空気清浄剤、悪臭除去剤等、及び、揮発性物質を空間に蒸発させて空気清浄又は悪臭除去等の様々な利益を送達することによる機能を含む。
【０００３】
ＰＣＴ国際公開第９８／１６２６２号（これ以降、「国際公開９８／１６２６２」）は、大気へのエアフレッシュナ組成物の分注を開始するための手動操作することができる押しボタンアクチュエータを有する使い捨て型エアフレッシュナディスペンサ装置を記載している。国際公開９８／１６２６２の装置は、容器内のエアフレッシュナ媒体を有しており、大気へのエアフレッシュナの分注を開始するために、容器を覆う箔を破裂させるように手動操作することができる押しボタンアクチュエータを有する。しかしながら、箔が破裂した後、押しボタンアクチュエータは、箔内の開口部に留まり、エアフレッシュナを分注するための経路を妨害する。
【先行技術文献】
【特許文献】
【０００４】
【特許文献１】ＰＣＴ国際公開第９８／１６２６２号
【発明の概要】
【発明が解決しようとする課題】
【０００５】
したがって、エアフレッシュナの分注を妨げることなく、箔の破裂が可能な押しボタンが必要とされている。
【課題を解決するための手段】
【０００６】
上述のニーズに対処するため、本発明は、揮発性組成物ディスペンサであって、
フレーム開口部を有するリアフレームを備えるハウジングと、
フレーム開口部内に移動可能に配設されている押しボタンと、
押しボタンと整列されているカートリッジと、を備え、カートリッジは、オリフィスを有し、かつ揮発性組成物を含有する容器と、オリフィスにシール可能に取り付けられ、かつオリフィスを覆っている破裂可能な基材と、破裂可能な基材に隣接する破裂要素と、押しボタン及び破裂要素と整列された弾性部材と、を備え、押しボタンに圧力を受けると、当該弾性部材は、破裂要素が破裂可能な基材と係合する第１の位置に破裂要素を移動させ、押しボタンから圧力が除去されると、当該弾性部材は、押しボタンに力を及ぼし、かつ破裂要素が破裂可能な基材と係合しない第２の位置に破裂要素を移動させる揮発性組成物ディスペンサを提供する。
【０００７】
フレーム開口部内に移動可能に配設されている弾性部材及び押しボタンを有することにより、破裂要素及びボタンは、破裂後、破裂可能な基材中の空いた穴から離れるように移動することができ、その結果、揮発性組成物は、妨害されないで分注することができる。
【図面の簡単な説明】
【０００８】
本明細書は、本発明を詳細に指摘し明確に特許請求する請求項をもって結論とするが、本発明は、添付の図面と併せてなされる以下の説明から、よりよく理解されると考えられる。
【図１】実施形態による揮発性組成物ディスペンサの前方斜視図である。
【図２】図１に示されている揮発性組成物ディスペンサの後方斜視図である。
【図３】図１に示されている揮発性組成物ディスペンサの側面分解斜視図である。
【図４】実施形態による揮発性組成物ディスペンサ用のリアフレームの横断面図である。
【図５】実施形態による揮発性組成物ディスペンサ用の押しボタンの前方断面図である。
【図６Ａ】実施形態による揮発性組成物カートリッジ用の破裂フレームの前方斜視図である。
【図６Ｂ】図６Ａの破裂フレームの後方斜視図である。
【図６Ｃ】図６Ａの破裂フレームの弾性部材の詳細図である。
【図７Ａ】図４のリアフレーム内の図５のボタンの移動を図示した概略図である。
【図７Ｂ】図４のリアフレーム内の図５のボタンの移動を図示した概略図である。
【図７Ｃ】図４のリアフレーム内の図５のボタンの移動を図示した概略図である。
【図８】揮発性組成物カートリッジ用の破裂フレームの代替的実施形態である。
【図９Ａ】ディスペンサ用の突起部の異なる構成を示す、詳述な横断面図である。
【図９Ｂ】ディスペンサ用の突起部の異なる構成を示す、詳述な横断面図である。
【図１０Ａ】揮発性組成物ディスペンサ用の押しボタン及びリアフレームの側面斜視図である。
【図１０Ｂ】リアフレーム内の押しボタンの概略図である。
【図１１】実施形態によるリアフレーム上の突起部の異なる構成である。
【図１２】実施形態による揮発性組成物ディスペンサ用のリアフレーム中の内壁の後方斜視図である。
【図１３Ａ】揮発性組成物ディスペンサ用の押しボタン上のカムガイドの斜視図である。
【図１３Ｂ】図１３Ａの押しボタンの底面図である。
【図１４Ａ】起動前の第１の位置にあるリアフレーム内の開口部の外縁と同一平面に押しボタンを有する揮発性組成物ディスペンサの後方斜視図である。
【図１４Ｂ】起動後の第２の位置にある、図１４Ａの押しボタンの後方斜視図である。
【図１５Ａ】起動前の第１の位置にあるリアフレーム内の開口部の外縁より上に位置するボタンを有する揮発性組成物ディスペンサの後方斜視図である。
【図１５Ｂ】起動後の第２の位置にある、図１４Ａの押しボタンの後方斜視図である。
【発明を実施するための形態】
【０００９】
本発明は、大気への揮発性物質を送達するための揮発性組成物ディスペンサに関する。本ディスペンサは、フレグランス、エアフレッシュナ、防臭剤、消臭剤、悪臭中和剤、殺虫剤、防虫剤、医療物質、消毒剤、清浄剤、気分向上剤、アロマテラピー助剤を供給する目的、あるいは大気若しくは環境の状態を整える、修正する、又はそうでない場合、変更するように作用する揮発性物質又は揮発性組成物を使用する別の任意の目的に好適である。本発明を詳細に例示する目的のためであるが、本発明の範囲を限定することを意図せずに、本発明は、香料、香料成分及び又は香料粗原料を含有する液体組成物を送達するための揮発性組成物ディスペンサにおいて記載される。
【００１０】
図１は、本発明による揮発性組成物ディスペンサ１（これ以降「ディスペンサ」）の実施形態の前方斜視図を示し、図２は、ディスペンサ１の後方斜視図を示している。ディスペンサ１は、フロントカバー１００及びリアフレーム２００を有するハウジング１０を備え、フロントカバー１００及びリアフレーム２００は、内部空間を画定している。リアフレーム２００は、リアフレーム２００の中央に実質的に位置しているフレーム開口部２０１（これ以降「開口部」）が設けられている。押しボタン２０（これ以降「ボタン」）は、開口部２０１内部に配設されており、ディスペンサ１をユーザが起動するのを可能にするリアフレーム２００に対して移動可能である。揮発性組成物３１を含有するカートリッジ３０は、ハウジング１０内に位置している。
【００１１】
図３は、ディスペンサ１の内部構成要素を示している。フロントカバー１００は、カートリッジ３０を表示するように構成されているウインド１０１を備える。カートリッジ３０は、オリフィス３２１を有する容器３２を備えており、その内部に、揮発性組成物３１（図１に示されている）が保管されている。破裂可能な基材３３は、ディスペンサ１が起動するまで、揮発性組成物３１は放出されるのを防止するために、リザーバを画定するオリフィス３２１にシール可能に取り付けられて、オリフィス３２１を覆っている。破裂可能な基材３３は、破裂されて、破裂可能な基材３３に隣接して位置している破裂機構３４を作動することにより、揮発性組成物３１を放出することができる。この破裂機構３４は、弾性部材３８によって外部フレーム３６に移動可能に取り付けられた移動可能な部材３５を備える。弾性部材３８は、１つ又は複数のばね３８から形成することができる。１つ又は複数の破裂要素３７は、破裂可能な基材３３に穴を開けるための破裂機構３４の内部に配置されている。破裂要素３７はピンであってもよい。カートリッジ３０は、カートリッジ３０の外部に位置している膜３９を備えてもよい。膜３９は、容器３２の外縁３２３に位置しているフランジ３２２にシール可能に取り付けられ得る。膜３９は、容器３２、揮発性組成物３１、破裂可能な基材３３及び破裂機構３４を取り囲んでいる。膜３９は、圧力又は作動力が膜３９に適用されると、屈曲するように構成され得る。
【００１２】
ディスペンサ１を起動するために、ユーザは、ボタン２０が破裂機構３４（図７Ｂに示されている、膜３９の偏向により）に接触するようになるまで、ボタン２０を押し込み、破裂機構３４上の破裂要素３７が、破裂可能な基材３３を貫通する。破裂可能な基材３３に一旦、貫通されると、揮発性組成物３１は、容器３２から流れ出して膜３９を濡らし、次に、膜３９からの蒸発により、大気周囲に送達される。
【００１３】
ボタン２０及びリアフレーム２００は、ディスペンサ１を起動するために、ユーザに触覚的及び直感的なユーザ経験を更にもたらすと同時に、カートリッジ３０中の破裂可能な基材３３を効率的なかつ制御された破裂を可能とするように構成されている。
【００１４】
図４は、リアフレーム２００の側面断面図Ａ−Ａを示している。内壁４０は、開口部２０１の外縁２０７に設けられており、リアフレーム２００の内部からハウジング１０まで延在している。内壁４０は、開口部２０１の外縁２０７と同一平面の遠位端部４１、及びハウジング１０に突き出ている遠位端部４２を有する。図４に示されている実施形態では、内壁４０は、中実及び筒状の形状である。しかしながら、内壁４０は、例えば、正方形断面又は長方形断面などの、いくつかの他の形状をとってもよい。内壁４０は、実質的に円筒形であってもよく、連続壁、又は例えば格子構造若しくは複数の互いに連結した細長い支柱などのセグメント化された壁を備える。内壁４０は、開口部２０１の中央からつながる中央長手方向軸１０００を備えるハウジング１０内への開口部２０１の延在を画定することができ、開口部２０１に沿って、ボタン２０を押し込むことができる。代替的に、内壁４０がハウジング１０からの開口部２０１の延在を画定するように、内壁４０がハウジング１０から突出していてもよい。したがって、遠位端部４２は、開口部２０１の外縁２０７を同一平面にあってもよく、近位端部４１は、ハウジング１０から突出していてもよい。
【００１５】
図５は、リアフレーム２００の開口部２０１と嵌合し、その内部を動くように構成されているボタン２０の前方断面図である。ボタン２０は、上部２１、及び上部２１からハウジング１０内に延在するボタン本体２２を備えている。実施形態では、上部２１は、ボタン２０が「静止時」位置にあるとき、開口部２０１の外縁２０７と一直線で位置している（例えば、図１４Ａを参照されたい）。代替的に、ボタン２０の上部２１は、「静止時」のとき、開口部２０１から突出してもよい（例えば、図１５Ａを参照されたい）。ボタン本体２２は、内壁４０と実質的に平行して延在する。したがって、ボタン本体２２はまた、筒状形状を有していてもよい。１つ又は複数の突起部５０は、ボタン本体２２から延在して、ボタン２０を内壁４０に組み立てるためのスナップ嵌合を画定する。
【００１６】
図６Ａ及び６Ｂを参照すると、破裂機構３４は、壁３４１内の円周方向に延在している溝３４２を備える壁３４１を有して、溝３４２の内側の中央部分３４３及び溝３４２の外側部分３４４を画定する。中央部分３４３は、実質的に平面の第１の表面３４５、及び第１の表面３４５に対向する第２の表面３４６を備える。中央部分３４３（これ以降「移動可能な部分」）は、ボタン２０の作動中に、第１の表面３４５に力を受けると、弾性部材３８の屈曲によって、外側部分３４４に対して移動可能となる。弾性部材３８は、外側部分３４４を移動可能な部分３４３に弾力的に接続するばねであってもよい。
【００１７】
図６Ｂ中に示されているとおり、破裂要素３７は、中央部分３４３上に離間されて、第１の表面３４５に対して直交する少なくとも２つの側面３４７から延在し、この場合、各破裂要素３７は、破裂可能な基材３３に穴を開けるための先端３７１を備えている。第１の対の破裂要素３７は、移動可能な部分３４３の第１の対向する側面３４７上に配設されて、基材３３の破裂を可能にしている。第２の対の破裂要素３７は、第１の対向する側面３４７とは異なる第２の対向する側面３４８上に配設されて、異なる配向でのカートリッジ３０の使用を可能にすることができる。破裂要素３７の位置は、破裂可能な基材３３の一方の側面に穴を開けるように構成されて、容器３２に空気が進入し、対向する側面における別の穴は容器３２からの揮発性組成物が排出するのを可能にする。
【００１８】
例えば、図１に示されているカートリッジ３０の垂直の配向では、第１の対向する側面３４７上に位置する第１の対の破裂要素３７により、破裂可能な基材３３に少なくとも一対の対向する穴を開けることが可能になり、これにより、容器内部と容器外部との間に圧力差が生じる。この圧力差により、空気が破裂可能な基材３３の上端部に空いた他の穴から容器３２に入ると、破裂可能な基材３３の下端部に位置している開いた穴の１つから揮発性組成物が排出するのが可能となる。
【００１９】
更に、移動可能な部分３４３がボタン２０と係合すると、第１の表面３４５に実質的に平行な面内で移動することができるように、移動可能な部分３４３は、移動可能な部分３４３の剛直性又は剛性を増大させるように配置されている、１つ又は複数の細長いリブ３５０を備えることができる。例えば、図６Ｂに示されているとおり、細長いリブ３５０は、第２の表面３４６から突出し、弾性部材３８に隣接する各側面３６０から延在して、移動可能な部分３４３の中心に集束することができる。細長いリブ３５０はまた、第２の表面３４６から突出して、移動可能な部分３４３の第１及び第２の対向する側面３４７、３４８から延在して、中心に集束することができる。
【００２０】
図６Ｃは、図６Ａに示されている弾性部材３８の詳細図である。図６Ｃに示されているとおり、弾性部材３８は、ばね又は平行なばねシステムとすることができる。このばねは、梁であってもよく、又はねじれ部材であってもよい。実施形態では、弾性部材３８は、ねじれであり、外側部分３４４に取り付けられている第１のアーム３８２及び中央部分３４３に取り付けられている第２のアーム３８３と、第１のアームと第２のアーム３８２、３８３との間に延在する細長いチャネル部材３８４と、を備えることができる。細長いチャネル部材３８４は、第１の幅Ｗ１、及び移動可能な部分３４３の第１の表面３４５に実質的に平行なチャネル幅Ｗ２を含む。細長いチャネル部材３８４は、チャネル幅Ｗ２よりも大きいチャネル長さＬ１を含むことができる。実施形態では、細長いチャネル部材３８４は、実質的にＵ形状を形成するように配置されている、２つの側梁３８５及び底梁３８６を備える。
【００２１】
図７Ａは、リアフレーム２００内に装着されている、「静止時」位置にあるボタン２０の断面図である。図７Ｂ及び７Ｃは、「静止時」位置から起動後位置までの間でのボタン２０の移動を図示した断面図である。ボタン２０は、ボタン２０が押し込まれると、リアフレーム２００、すなわちフレーム開口部２０１の長手方向軸１０００に略平行な方向に動くストレート押しボタンに対して直線的に移動するように構成されている。
【００２２】
「静止時」の位置では、ボタン本体２２の遠位端部２３は、内壁４０の遠位端部４２の近位に、及びこれに隣接して位置し、弾性部材３８は平衡位置にある。平衡位置では、弾性部材３８は、移動可能な部分３４３の第１の表面３４５に実質的に平行であり、破裂要素３７は、カートリッジ３０の破裂可能な基材３３と係合していない。弾性部材３８は、弾性部材３８が偏りのない状態にある、「静止時」の位置の押しボタン２０と整列されてもよい。更に、弾性部材３８は、押しボタン２０と整列されてもよく、押しボタン２０に圧力を受けると、破裂要素３７は、エネルギーを貯蔵して、図７Ｂの中で示されているような第１の位置に破裂要素３７を移動させる。
【００２３】
図７Ｂを参照すると、ボタン２０が長手方向軸１０００に沿った方向に力Ｆ１により押し込まれて、ハウジング１０の内部に移動すると（図１３Ｂ、図１４Ｂに示されている）、圧力が膜３９上にかかり、破裂機構３４の移動可能な部分３４３に移行する。移動可能な部分３４３が、圧力下で破裂可能な基材３３の方に移動するにつれて、弾性部材３８が第１の表面３４５に平行にはならないように、弾性部材３８は偏向し、移動可能な部分３４３に平行な平面のまわりでねじれる。弾性部材３８のねじれにより、移動可能な部分３４３の移動が可能になり、その結果、図７Ｃに示されているとおり、移動可能部３４３上の破裂要素３７は動かされ、破裂可能な基材３３と係合するようになり、基材３３に穴３５０を開ける。図７Ｂでは、弾性部材３８がねじれた結果として、エネルギーＵが弾性部材３８に貯蔵され、これは、以下
Ｕ＝１／２ｋθ２（ジュール）
（式中、
ｋ＝弾性部材のばね定数であり、
θ＝その平衡位置からの弾性部材のねじれ角（ラジアン）である）
のとおり定義することができる。
【００２４】
図７Ｂ及び７Ｃを参照すると、破裂要素３７によってカートリッジ３０の破裂可能な基材３３に穴３５０が空くとシールが破壊され、空気が容器３２に進入し、容器３２内部に空気圧が生じる。この空気圧により、基材３３における穴３５０から揮発性組成物３１放出が開始し、揮発性組成物３１は、膜３９の表面３９１にしみ込む。
【００２５】
弾性部材３８はまた、押しボタン２０から圧力が除去されると、押しボタン２０上のばね力などの力を働かせて、破裂要素３７が破裂可能な基材３３と係合しない第２の位置に破裂要素３７を移動させるように構成されてもよい。具体的には、Ｆ１がボタン２０から除去されると、すなわち、Ｆ１がボタン２０から除去されて、ボタン２０に作用しなくなると、弾性部材３８の貯蔵されたエネルギーＵは、運動エネルギーに変換されて、ばね力Ｆ２、又は図７Ｂに示されている力Ｆ１と反対の方向にトルクτを働かせて、図７Ｃに示されている平衡位置まで戻るか、又は跳ね返る。したがって、移動可能な部分３４３は、弾性部材３８により平衡位置まで動いて戻り、破裂要素３７は、穴３５０から移動する。ボタン２０上に生じた力は、変位ｘ又はねじれ角θによるばね力であり、生じた力は、図７Ｂの起動位置から離れた反対の方向にボタン２０を動かす。弾性部材３８により作られる力Ｆ２の大きさは、ボタン２０が静止位置まで戻るのに必要な力以下となり得る（図７Ａ）。その結果、ボタン２０は、起動位置（図７Ｂ）から離れて、静止位置（図７Ａ）まで、又は静止位置と起動位置の中間の起動後位置（図７Ｃ）まで移動され得る。
【００２６】
弾性部材３８の技術的な効果は、破裂可能な基材３３において、起動位置から遠ざかって移動可能であるボタン２０により、破裂要素３７が穴３５０に留まるのが防止され、揮発性組成物３１が容器３２から穴３５０まで排出するのが可能になることである。
【００２７】
別の技術的な効果は、ボタン２０が、ディスペンサ１の起動の後に、静止位置（図１４Ａ、図１５Ａ）とは異なる起動後位置（図１４Ｂ、図１５Ｂ）にあることが可能になり、これにより、ディスペンサ１を起動する消費者に信号を送信することである。
【００２８】
図８は、破裂フレーム３４の弾性部材３８を示している。弾性部材３８は、外側部分３４４と移動可能な部分３４３との間に配置されている細長いばね梁とすることができる。弾性部材３８は、フックの法則Ｆ＝ｋｘに従い、線形の力関係を有することができ、ここで、Ｆは、ニュートン（Ｎ）で測定されるばねのばね力であり、ｋは、ニュートン／メータ（Ｎ／ｍ）で測定されるばねの剛性であり、ｘは、長手方向１０００に沿った変位である（図７Ｂを参照されたい）。
【００２９】
弾性部材３８の設計に応じて、弾性部材３８の剛性ｋは、弾性部材３８における所望の変位、長手方向１０００に沿うｘ又は所望のねじれ角をもたらすように構成することができる。
【００３０】
図９Ａ及び９Ｂは、静止位置における内壁４０内のボタン２０の概略図である。ボタン本体２２と内壁４０との間に間隙６０が存在してもよく、この場合、１つ又は複数の突起部５０が、内壁４０の遠位端部４２（図９Ａ）、又はボタン本体２２の遠位端部２３（図９Ｂ）に位置しており、かつ間隙６０内に配置されている。間隙６０のサイズは、ボタン本体２２又はボタン２０の長手方向（長さ）に沿って、均一及び一定とすることができる。
【００３１】
間隙６０は、内壁４０又はボタン本体２２上の突起部５０の基部５０１の間に第１の間隙幅（Ｗ３）を含む。内壁４０及びボタン本体２２の軸が共軸であり、かつ実質的に円筒形である実施形態では、間隙６０の第１の間隙幅Ｗ３は、
Ｗ３＝（φ１−φ２）／２
（式中、
φ１＝内壁の内径（ｍｍ）であり、
φ２＝ボタン本体の外径（ｍｍ）である）として定義される。
【００３２】
突起部５０は、その長さに沿って非対称であり、内壁４０又はボタン本体２２に隣接する第１の表面５０２、及び第１の表面６１から離れて面している第２の表面５０３を備えている。先端５０４は、第１の表面５０２と第２の表面５０３との間に位置している。更に、内壁４０又はボタン本体２２に対して第１の表面５０２の角度であるＡ（度）は、内壁４０の近位端部４１又は遠位端部４２から内壁４０にボタン２０を挿入するように構成され得る。
【００３３】
突起部５０は、内壁４０又はボタン本体２２における２つの細長いチャネル間に配設されて、カンチレバースナップ嵌合を画定することができる。カンチレバースナップ嵌合は、機械分野の当業者には公知であり、当業者は、カンチレバースナップ嵌合を得るために、内壁４０又はボタン本体２２内に細長いチャネルを構成することができるので、細長いチャネルは図中に示されていない。
【００３４】
突起部５０は、内壁４０内のボタン２０のスライド可能な移動のため、内壁４０又はボタン本体２２から離間されるか、又は内壁４０若しくはボタン本体２２と係合して、ボタン２０の平行移動を案内することができる。具体的には、第１の間隙幅Ｗ３は、以下
Ｗ３≧Ｔ１（ｍｍ）
（式中、Ｔ１＝内壁又はボタン本体に対する突起部の深さ（ｍｍ）である）
として定義することができる。
【００３５】
図９Ｂに示されているとおり、ランプ７０は、ボタン本体２２の近位端部２４に配設することができ、この場合、突起部５０は内壁４０の遠位端部４２に位置し、第１の位置におけるランプ７０から離間されて、第２の位置におけるランプ７０に当接し、一旦破裂が行われると、ボタン２０がハウジング１０内に更に押し込まれるのを防止するように、ボタン２０の移動又はストロークを制限する。
【００３６】
１つ又は複数のガイドレール８０は、内壁４０又はボタン本体２２上に配設されてもよい。図１０Ａ及び１０Ｂにおいて示されている実施形態に示されているとおり、ボタン２０は、ボタン本体２２上に配設されているガイドレール８０を備え、この場合、ガイドレール８０は、内壁４０と平行にあり、ボタン本体２２の遠位端部２３からボタン本体２２上に配設されているランプ７０まで延在している。突起部５０は、リアフレーム２００の内壁４０の遠位端部４２に配設されている。ボタン２０を図９Ｂにおいて示されているリアフレーム２００に組み立てている間、突起部５０は、ガイドレール８０と係合して、ボタン２０を案内するための接触点８３を画定する。実施形態では、幅Ｗ３は、突起部５０の深さＴ１に等しくなり得、すなわちＷ３＝Ｔ１となる。
【００３７】
更に、ガイドレール８０は、第１の端部８１及び第２の端部８２を備えることができ、ランプ７０は、ボタン２０が押し込まれると、突起部５０に当接するように第２の端部８２に位置している。
【００３８】
図１１は、起動前、すなわち「静止時」の位置での、リアフレーム２００内のボタン２０の後方図である。更に、例えば図１０に示されている実施形態によれば、１つ又は複数の突起部５０は離間されて、内壁４０の遠位端部４２に位置し、ボタン本体２２と内壁４０との間の３つの接触点８３（３点接触としても知られている）を画定するガイドレール８０の各々と係合するように配置されている。３点接触は、内壁４０内のボタン２０の平行移動を維持するように、上部２１上の中心位置から外れて押し込まれると、ボタン２０に対して安定な支持平面を画定する。このように、リアフレーム２００に対して長手方向軸１０００に沿ったボタン２０の軸方向移動は、ボタン２０の遠位端部２３が、破裂機構３４の移動可能な部分２３４に平行な平面内に維持されるように案内され得る（図７Ｂに示されているとおりである）。これにより、フレーム開口部２０１内のボタン２０の傾斜が最小化され、これにより、破裂要素３７のすべてによって、基材３３の破裂が容易になる。
【００３９】
図１２は、図３のリアフレーム２００の斜視図であり（一部が示されている）、図１３Ａはボタン２０の代替の斜視図であり、図１３Ｂは、ボタン２０の底面図である。１つ又は複数の第１及び第２の突起部５１、５２が、内壁４０及びボタン本体２２の各々の上に位置し得る。第１の突起部５１又は第２の突起部５２は、略細長くてもよく、フレーム開口部２０１の長手方向軸２０００に平行な方向に延在している。第２の突起部５２の各々は、長さＬ２を含むことができ、第１の突起部５１の各々は、長さＬ３を含むことができる。長さＬ２及びＬ３の各々は、ボタン２０の長さ（Ｌ４）の７％〜２０％の範囲にあることができる。ガイドレール８０は、カムガイド８０であり、１つ又は複数の第２の突起部５２は、ボタン２０が回転している間、１つ又は複数の第１の突起部５１と係合するため、カムガイド８０上に配設されている。第１の突起部５１は、内壁４０の遠位端部４２に配設されており、第１の突起部５１は、ボタン本体２２のカムガイド８０を係合するように整列されている。
【００４０】
図１３Ａを参照すると、カムガイド８０は、ボタン本体２２上に形成されている複数の第１のカムトラック８４を備えてもよい。第１のカムトラック８４は、内壁４０の遠位端部４２上に、第１の突起部５１を係合するため、ボタン本体２２上に、半径方向に離間されている。カムガイド８０は、第１のカムトラック８４の中間に、複数の第２のカムトラック８５を更に備えてもよい。
【００４１】
カムガイド８０のカム角度αは、所望のボタンストロークＳ（ｍｍ）、並びに長手方向軸１０００及び／又は円筒軸２０００を中心とするボタン２０の回転角度βが得られるように構成され得る（図１４Ｂ中に示されている）。所望のボタンストロークＳは、破裂機構３４の破裂要素３７が基材３３に穴を開けるために、開口部２０１の長手方向軸１０００に沿ってボタン２０が移動する距離とすることができる。
【００４２】
長手方向軸１０００に沿って軸方向にボタン２０を動かすように、及び時計回り又は反時計回りの方向に長手方向軸１０００のまわりを回転するように協働する、カムガイド８０及び第１の突起部５１を有することにより、ボタン２０の上部２１は、図１４Ａ及び図１４Ｂに示されているとおり、リアフレーム２００に対して異なる配向を有することができる。
【００４３】
具体的には、第２のカムトラック８５は、ボタン本体２２から径の外側方向に延在し、かつボタン本体２２上に円周方向に離間されており、内壁４０内のボタン２０の挿入時に、内壁４０上に形成されたかみ合いカムトラック（mating cam track）８６と係合するように配置されている。実施形態では、各第２のカムトラック８５及びかみ合いカムトラック８６は、長手方向軸１０００を中心にしたボタン２０の回転、及び長手方向軸１０００に沿ってボタン２０の軸方向移動のための連続カムプロファイルを画定するように、形状又はプロファイルの点で、第１の工程８４に対応するように構成され得る。
【００４４】
更に、第２のカムトラック８５及びかみ合いカムトラック８６は、内壁４０の遠位端部４２に対して、ある高さでフレーム２００内にボタン２０が配置されるのを可能にするように構成され得る。高さは、組み立て時に、ボタン２０が、第１の位置において、開口部２０１の外縁２０７と同一平面にあるか（図１４Ａに示されている）、又は第１の位置において、開口部２０１の外縁２０７の上まで延在している（図１５Ａに示されている）かのどちらか一方となるように、様々とすることができる。更に、印９０は、ボタン２０の上部２１の上に配設されて、ディスペンサ１の信号をユーザに供給することができる。例えば、図１４Ａを参照すると、印９０は、第１の位置における開口部の外縁に対する１つの配向、及び第２の位置における異なる配向で、ボタン２０を示す時計の針のような図形表示を含むことができる。代替的に、図１５Ａを参照すると、印９０は、ボタン２０を作動する又はディスペンサ１を起動するための位置を表示する図形記号とすることができる。
【００４５】
内壁４０、第１の突起部５１及びフレーム２００は、一体型ユニットに成形されて形成することができ、製造を容易にするためプラスチックを含んでもよい。同様に、第２の突起部５２、カムガイド８０及びボタン２０はまた、一体型プラスチック構成要素に成形されて、形成することができる。代替的に、ボタン２０、並びにフレーム２００及び第１及び第２の突起部５１、５２は、ばね鋼などの、シート状金属を含んでもよく、一体型金属構成要素を形成するように、型抜き又は圧延されてもよい。
【００４６】
揮発性組成物ディスペンサ１は、ユーザの手に人間工学的に調和するように、又は使用を容易にするように、コンピュータマウスに類似する形状因子などの小さな形状因子を備えることができる。実施形態では、内壁４０、ボタン２０、第１及び第２の突起部５１、５２並びにカムガイド８０の物理仕様は、図１４Ｂ中で示されているとおり、指定したボタンストロークＳ（ミリメートル）及び／又は長手方向軸１０００に対してボタン２０の指定した回転角度β（度）に基づいて構成され得る。図１２、１３Ａ及び１３Ｂを参照すると、表１は４．２５ｍｍのボタンストロークＳ及び４２．５度の回転角度βに基づいて、内壁４０、ボタン２０、突起部５１、５２及びガイドレール８０の物理仕様を設定している。ボタンストロークＳと回転角度βとの間の相関関係Ｓ／βは、０．１ｍｍ／度とすることができる。したがって、本発明は、表１の物理仕様に限定されないことが、当業者により理解されよう。具体的には、物理仕様は、Ｓ／β＝０．１ｍｍ／度の相関関係を使用して、所望のボタンストローク又はボタンの回転角度に基づいて、修正されてもよい。更に、物理仕様は、１．３となるカム角度αとボタンの回転角度βとの比を使用することにより修正することができる。
【００４７】
【表１】
2019514495.tif 000003
【００４８】
図３に示されているカートリッジ３０の内部構成要素は、以下のとおり特徴付けることができる。例えば、容器３２の寸法は、約１ｍｌ〜約５０ｍｌの液状揮発性組成物を保持するように構成され得る。代替的に、リザーバ５２は、約２ｍｌ〜約３０ｍｌ、代替的に約２ｍｌ〜約１０ｍｌ、代替的に約２ｍｌ〜約８ｍｌ、代替的に約４ｍｌ〜約６ｍｌ、代替的に約２ｍｌ、代替的に、約６ｍｌの液状揮発性組成物を保持することができる。更に、容器３２の形状は、フロントカバー１００の開口部１０１の形状に対応するように構成され得る。例えば、容器３２は、実質的に楕円又は長円形状を画定することができ、その幅対長さ比は、約１：２〜１：２．５とすることができる。
【００４９】
破裂可能な基材３３は、適用した力を用いて破裂する（そのような破裂の一助となる要素が存在しようと、存在しまいと）、任意の物質から作製され得る。破裂可能な基材３３は、保管中は、揮発性物質を収容するように意図され、それは、その所期使用前に、揮発性物質の蒸発を防止する任意のバリア物質から作製され得る。このような物質は、蒸気及び液体に対しては不透過性となり得る。破裂可能な基材３３に好適なバリア物質には、ポリマーフィルム、可撓性箔などの可撓性フィルム、又は箔／ポリマーフィルム積層体などの複合物質が挙げられる。好適な可撓性箔には、ニトロセルロース保護ラッカー、２０ミクロンのアルミホイル、ポリウレタンプライマー、及びＡｌｃａｎ  Ｐａｃｋａｇｉｎｇから入手可能な１５ｇ／ｍ２のポリエチレンコーティング剤（Ｌｉｄｆｏｉｌ  １１８−００９２）から構成される箔などの金属箔を含む。好適なポリマーフィルムには、ポリエチレンテレフタレート（ＰＥＴ）フィルム、アクリロニトリルコポリマーバリアフィルム（ＩＮＯＥＳによって商標名Ｂａｒｅｘ（登録商標）で販売されているものなど）、エチレンビニルアルコール及びそれらの組み合わせが挙げられる。コーティングされたバリアフィルムは、破裂可能な基材３３として利用され得ることもまた企図される。使用され得る、そのようなコーティングされたバリアフィルムには、金属化ＰＥＴ、金属化ポリプロピレン、シリカ又はアルミナコーティングされたフィルムが挙げられる。いずれのバリア物質も、コーティングされているかコーティングされていないかに関わらず、単独で、及び／又は他のバリア物質と組み合わせて使用されてもよい。
【００５０】
破裂要素３７は、成形に好適であることが知られている、ポリエチレン若しくはポリプロピレンなどのポリオレフィン、ポリエステル、又は他のプラスチックを使用して、射出成形、圧縮成形又は加圧成形され得る。破裂要素１３０はまた、望ましくない部分を取り除くための別個の切断工程を伴って、熱成形によって作製されてもよい。
【００５１】
膜３９は、約０．０１〜約０．０６ミクロン、代替的に約０．０１〜約０．０５ミクロン、代替的に約０．０１〜約０．０４ミクロン、代替的に約０．０１〜約０．０３ミクロン、代替的に約０．０２〜約０．０４ミクロン、代替的に約０．０２ミクロンの平均細孔サイズを有することができる。更に、膜３９は、当分野において公知の任意の好適な充填剤及び可塑剤で充填されてもよい。充填剤としては、微粉砕シリカ、クレイ、ゼオライト、カーボネート、活性炭及びこれらの混合物を挙げることができる。微多孔膜３９は、総重量を基準として、約５０％〜約８０％、代替的に約６０％〜約８０％、代替的に約７０％〜約８０％、代替的に約７０％〜約７５％のシリカで充填され得る。膜３９の厚さは、約０．０１ｍｍ〜約１ｍｍ、代替的に約０．１ｍｍ〜約０．４ｍｍ、代替的に約０．１５ｍｍ〜約０．３５ｍｍ、代替的に約０．２５ｍｍの間とすることができる。
【００５２】
更に、微多孔膜３９の蒸発表面積は、約２ｃｍ２〜約１００ｃｍ２、代替的に約２ｃｍ２〜約２５ｃｍ２、代替的に約１０ｃｍ２〜約５０ｃｍ２、代替的に約１０ｃｍ２〜約４５ｃｍ２、代替的に約１０ｃｍ２〜約３５ｃｍ２、代替的に約１５ｃｍ２〜約４０ｃｍ２、代替的に約１５ｃｍ２〜約３５ｃｍ２、代替的に約２０ｃｍ２〜約３５ｃｍ２、代替的に約３０ｃｍ２〜約３５ｃｍ２、代替的に約３５ｃｍ２であってもよい。したがって、リアフレーム２００は、膜３９の蒸発表面積に適合するようなサイズ及び形状にすることができる。
【００５３】
本発明の好適な微多孔膜としては、米国特許第７，４９８，３６９号に記載されている、シリカを用いて場合により充填された、微多孔性、超高分子量ポリエチレン（ＵＨＭＷＰＥ）が挙げられる。このようなＵＨＭＷＰＥ微多孔膜としては、Ｄａｒａｍｉｃから入手可能なＤａｒａｍｉｃ（商標）Ｖ５、ＤＳＭ（オランダ）から入手可能なＳｏｌｕｐｏｒ（登録商標）、及びＰＰＧ  Ｉｎｄｕｓｔｒｉｅｓから入手可能なＴｅｓｌｉｎ（商標）、並びにこれらの組み合わせが挙げられる。
【００５４】
揮発性組成物ディスペンサ１用のカートリッジ３０において使用するのに好適な揮発性物質又は組成物は、大気の状態を整える、修正する又はそうでない場合、変更するように構成され得、フレグランス、エアフレッシュナ、防臭剤、消臭剤、悪臭中和剤、殺虫剤、防虫剤、医療物質、消毒剤、清浄剤、気分向上剤及びアロマテラピー助剤を供給するために好適な組成物を含むことができる。好適な揮発性物質の一覧は、以下の表２に示されている。
【００５５】
【表２】
2019514495.tif 000004
【００５６】
本組成物は、本組成物が、揮発性物質の各々が２５℃において、約１．３Ｐａ（約０．０１ｔｏｒｒ）未満のＶＰを有する、総重量基準で、約１０％〜約１００％の揮発性物質、代替的に揮発性物質の各々が２５℃において、約１３Ｐａ（約０．１ｔｏｒｒ）未満のＶＰを有する、総重量基準で、約４０％〜約１００％の揮発性物質、代替的に揮発性物質の各々が２５℃において、約１３Ｐａ（約０．１ｔｏｒｒ）未満のＶＰを有する、総重量基準で、約５０％〜約１００％の揮発性物質、代替的に揮発性物質の各々が２５℃において、約４０Ｐａ（約０．３ｔｏｒｒ）未満のＶＰを有する、総重量基準で、約９０％〜約１００％の揮発性物質を含む揮発性物質混合物を含むように配合され得る。本揮発性物質混合物は、揮発性物質の各々が２５℃において、約０．５３３〜約１３Ｐａ（約０．００４ｔｏｒｒ〜約０．０３５ｔｏｒｒ）のＶＰを有する、総重量基準で、０％〜約１５％の揮発性物質、及び揮発性物質の各々が２５℃において、約１３Ｐａ〜約４３Ｐａ（約０．１ｔｏｒｒ〜約０．３２５ｔｏｒｒ）のＶＰを有する、総重量基準で、０％〜約２５％の揮発性物質、及び揮発性物質の各々が２５℃において、約４．６７Ｐａ〜約１３Ｐａ（約０．０３５ｔｏｒｒ〜約０．１ｔｏｒｒ）のＶＰを有する、総重量基準で、約６５％〜約１００％の揮発性物質を含むことができる。揮発性物質の飽和蒸気圧を得る１つの情報源は、Ｕ．Ｓ．Ｅｎｖｉｒｏｎｍｅｎｔａｌ  Ｐｒｏｔｅｃｔｉｏｎ  Ａｇｅｎｃｙから入手可能なＥＰＩ  Ｓｕｉｔｅ（商標）、バージョン４．０である。
【００５７】
一例は、以下に示されている：
Ａ．揮発性組成物ディスペンサ（１）であって、
フレーム開口部（２０１）を有するリアフレーム（２００）を備えるハウジング（１０）と、
フレーム開口部（２０１）内に移動可能に配設されている押しボタン（２０）と、
押しボタン（２０）と整列されているカートリッジ（３０）と、を備え、カートリッジ（３０）が、オリフィスを有しており、かつ揮発性組成物（３１）を含有する容器（３２）と、オリフィスにシール可能に取り付けられ、かつオリフィスを覆っている、破裂可能な基材（３３）と、破裂可能な基材（３３）に隣接する破裂要素（３７）と、押しボタン（２０）及び破裂要素（３７）と整列されている弾性部材（３８）と、を備え、押しボタン（２０）に圧力を受けると、当該弾性部材は、破裂要素（３７）が破裂可能な基材（３３）と係合する第１の位置に破裂要素（３７）を移動させ、押しボタン（２０）から圧力が除去されると、当該弾性部材は、押しボタン（２０）上に力を及ぼし、かつ破裂要素（３７）が破裂可能な基材（３３）と係合しない第２の位置に破裂要素（３７）を移動させる、揮発性組成物ディスペンサ（１）。
Ｂ．
開口部（２０１）の外縁（２０７）における近位端部（４１）、及び開口部に延在している遠位端部（４２）を有する、内壁（４０）と、
押しボタン（２０）のボタン本体（２２）と内壁（４０）との間の間隙（６０）と、
内壁（４０）の遠位端部（４１、２３）又はボタン本体（２２）に配設されている突起部（５０）であって、間隙（６０）内に配置されている、突起部（５０）と、
を更に備える、段落Ａに記載の揮発性組成物ディスペンサ（１）。
Ｃ．突起部（５０）が、内壁（４０）又はボタン本体（２２）の一方に隣接している第１の表面（５０２）を備え、内壁（４０）又はボタン本体（２２）に対する第１の表面の角度Ａが、内壁（４０）の近位端部（４１）又は遠位端部（４２）から内壁（４０）にボタン（２０）を挿入するように構成されている、段落Ｂに記載の揮発性組成物ディスペンサ（１）。
Ｄ．突起部（５０）が、内壁（４０）又はボタン本体（２２）における２つの細長いチャネル間に配設されて、カンチレバースナップ嵌合を画定している、段落Ｂに記載の揮発性組成物ディスペンサ（１）。
Ｅ．内壁（４０）及びボタン本体（２２）が、共軸であり、かつ実質的に円筒形状であり、内壁（４０）が、内径φ１を含み、ボタン本体（２２）が、外径φ２を含み、間隙（５０）の幅Ｗが、Ｗ＝（φ１−φ２）／２ミリメートル（ｍｍ）として定義される、段落Ｂに記載の揮発性組成物ディスペンサ（１）。
Ｆ．内壁（４０）又はボタン本体（２２）の一方の上に配設されているランプ（７０）を更に備え、突起部（５０）が、第１の位置において、ランプ（７０）から離間されており、押し込まれたときに、ボタン（２０）の移動を制限するように、第２の位置において、ランプ（７０）に当接する、段落Ｃに記載の揮発性組成物ディスペンサ（１）。
Ｇ．内壁（４０）又はボタン本体（２２）の一方の上に配設されているガイドレール（８０）を更に備え、ガイドレール（８０）が、第１の端部（８１）及び第２の端部（８２）を備え、ランプ（７０）が、第１の端部（８１）又は第２の端部（８２）に位置している、段落Ｆに記載の揮発性組成物ディスペンサ（１）。
Ｈ．突起部（５０）が、ガイドレール（８０）に係合するように構成されている、段落Ｇに記載の揮発性組成物ディスペンサ（１）。
Ｉ．ガイドレール（８０）が、内壁（４０）又はボタン本体（２２）に対して平行である、段落Ｈに記載の揮発性組成物ディスペンサ（１）。
Ｊ．押しボタン（２０）が、押しボタン（２０）への力に応答して、長手方向軸（１０００）に沿って軸方向に移動可能であり、かつ回転角度β（度）で長手方向軸を中心に回転可能であり、ガイドレール（８０）が、内壁（４０）又はボタン本体（２２）の円筒軸に対してカム角度α（度）を含むカムガイド（８０）であり、α＞βである、段落Ｈに記載の揮発性組成物ディスペンサ（１）。
Ｋ．カム角度αとボタンの回転角度βとの比が１．３である、段落Ｊに記載の揮発性組成物ディスペンサ（１）。
Ｌ．カムガイド（８０）が不連続であり、内壁又はボタン本体上の複数の第１のカムトラック（８４）を備え、複数の第１のカムトラック（８４）が、内壁又はボタン本体上に、半径方向に離間されて、内壁又はボタン本体の一方の上の突起部（５１、５２）と係合する、段落Ｋに記載の揮発性組成物ディスペンサ（１）。
Ｍ．カムガイド（８０）が、第１のカムトラック（８４）の中間に第２のカムトラック（８５）を備え、第２のカムトラック（８５）が、内壁又はボタン本体の一方の上のかみ合いカムトラック（８６）と係合する、段落Ｌに記載の揮発性組成物ディスペンサ（１）。
Ｎ．カートリッジ（３０）が、
壁（３４１）内の円周方向に延在して、溝（３４１）の内側の中央部分（３４３）及び溝（３４２）の外側の外側部分（３４４）を画定する、溝（３４２）を備える、壁（３４１）を備える、破裂機構（３４）を備え、中央部分（３４３）が、実質的に平面の第１の表面（３４５）を備え、
弾性部材（３８）が、外側部分（３４４）を中央部分（３４３）に取り付けるばねであり、破裂要素（３７）が、破裂機構（３４）内に配置されている、段落Ａに記載の揮発性組成物ディスペンサ（１）。
Ｏ．弾性部材（３８）が、外側部分（３４４）に取り付けられた第１のアーム（３８２）と、中央部分（３４４）に取り付けられた第２のアーム（３８３）と、第１のアームと第２のアーム（３８２、３８３）との間の細長いチャネル部材（３８４）と、を備え、細長いチャネル部材（３８４）が、中央部分（３４３）の第１の表面（３４５）に実質的に平行なチャネル幅（Ｗ１）を含む、段落Ｎに記載の揮発性組成物（compostion）ディスペンサ（１）。
Ｐ．細長いチャネル部材（３８４）が、チャネル幅（Ｗ１）よりも大きいチャネル長さ（Ｌ１）を含む、段落Ｏに特許請求されている揮発性組成物ディスペンサ（１）。
Ｑ．細長いチャネル部材（３８４）が、実質的にＵ形状を形成するように配置されている、２つの側梁（３８５）及び底梁（３８６）を備える、段落Ｏに特許請求されている揮発性組成物ディスペンサ（１）。
Ｒ．リアフレーム（２００）及び突起部（５０）が一体型ユニットを形成する、段落Ａに特許請求されている揮発性組成物ディスペンサ（１）。
Ｓ．ボタン（２０）、リアフレーム（２００）、及び突起部（５０）が、プラスチックを含む、段落Ａに特許請求されている揮発性組成物ディスペンサ（１）。
Ｔ．揮発性組成物ディスペンサを組み立てる方法であって、
フレーム開口部、及び当該開口部内の中央に配設されている長手方向軸（１０００）を有するリアフレームを備えるハウジングを提供する工程と、
フレーム開口部に押しボタンを挿入する工程であって、ボタンが、フレーム開口部内で移動可能である、工程と、
カートリッジを押しボタン（２０）と整列させる工程であって、カートリッジが、オリフィスを有し、かつ揮発性組成物（３１）を含有する容器（３２）と、オリフィスにシール可能に取り付けられてオリフィスを覆っている破裂可能な基材（３３）と、破裂可能な基材（３３）に隣接する破裂要素（３７）と、押しボタン（２０）及び破裂要素（３７）と整列されて、押しボタン（２０）に圧力を受けると、エネルギーを貯蔵し、かつ破裂要素（３７）が破裂可能な基材（３３）と係合する第１の位置に破裂要素（３７）を移動させ、かつ押しボタン（２０）から圧力が除去されると、押しボタン（２０）に力を及ぼし、かつ破裂要素（３７）が破裂可能な基材（３３）と係合しない第２の位置に破裂要素（３７）を移動させる、弾性部材（３８）と、を備える、工程と、カートリッジをリアフレームに付ける工程
と、を含む、方法。
Ｕ．ボタンを挿入する工程が、
フレーム開口部（２０１）の外縁（２０７）において近位端部（４１）、及び開口部（２０１）内に延在している遠位端部（４２）を有する内壁（４０）を提供する工程と、ボタン本体（２２）を有する内壁（４０）の遠位端部（４２）に位置している突起部（５０）と係合させる工程
と、を含む、段落Ｔに記載の組み立て方法。
Ｖ．ボタン本体が、ガイドレールを含み、突起部が、ガイドレールと係合されている、段落Ｕに記載の組み立て方法。
Ｗ．カートリッジ（３０）をリアフレーム（２００）に取り付ける工程が、フロントカバー（１００）をリアフレーム（２００）に取り付ける工程を含む、段落Ｔに記載の組み立て方法。
Ｘ．フロントカバー（１００）が、機械的取り付け手段又は化学的取り付け手段によりリアフレーム（２００）に取り付けられる、段落Ｗに記載の組み立て方法。
Ｙ．揮発性組成物ディスペンサにおける押しボタンを起動する方法であって、
フレーム開口部（２０１）を有するリアフレーム（２００）を備えるハウジング（１０）、及び
ハウジング（１０）内に配設されているカートリッジ（３０）を提供する工程であって、カートリッジ（３０）が、オリフィスを有して、かつ揮発性組成物（３１）を含有する容器（３２）と、オリフィスにシール可能に取り付けられてオリフィスを覆っている破裂可能な基材（３３）と、破裂可能な基材（３３）に隣接する破裂要素（３７）と、破裂要素（３７）と整列されている弾性部材（３８）と、を備える、工程と、
フレーム開口部内の移動可能な押しボタンに圧力をかけて、弾性部材（３８）にエネルギーを貯蔵し、破裂要素（３７）が破裂可能な基材（３３）と係合する第１の位置に破裂要素（３７）を移動させる工程と、
押しボタン（２０）からの圧力が除去して、弾性部材（３８）が、
押しボタン（２０）上に力を及ぼし、破裂要素（３７）が破裂可能な基材（３３）と係合しない第２の位置に破裂要素（３７）を移動させることを可能にする工程と、
を含む、方法。
【００５８】
ここで、本明細書に開示の装置の構造、機能、製造、及び使用の原理並びに方法の総合的な理解をもたらすために、様々な実施形態について説明する。これらの実施形態の１つ又はより多くの例を、添付の図面に示す。本明細書で詳細に説明し、添付の図面に示す装置及び方法は、非限定的な例示的な実施形態であること、並びに本開示の様々な実施形態の範囲は、特許請求の範囲によってのみ規定されることが当業者には理解されよう。１つの例示的な実施形態に関連して示される、又は述べられる特徴は、他の例示的な実施形態の特徴と組み合わせることができる。そのような修正及び変形は、本開示の範囲内に含まれるものとする。
【００５９】
本明細書に開示した寸法及び値は、列挙された正確な数値に厳密に限定されるものと理解されるべきではない。むしろ、特に指示がないかぎり、そのような各寸法は、列挙された値及びその値の周辺の機能的に同等の範囲の両方を意味するものとする。例えば、「４０ｍｍ」として開示された寸法は、「約４０ｍｍ」を意味するものとする。
【００６０】
相互参照される又は関連するすべての特許又は特許出願、及び本願が優先権又はその利益を主張する任意の特許出願又は特許を含む、本願に引用されるすべての文書は、除外又は限定することを明言しないかぎりにおいて、参照によりその全容が本願に援用される。いかなる文献の引用をも、本明細書中で開示又は特許請求される任意の発明に対する先行技術であるとはみなされず、あるいはそれを単独で又は他の任意の参考文献（１つ又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【００６１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのようなすべての変更及び修正は、添付の特許請求の範囲にて網羅することを意図したものである。
【図１】
2019514495.tif 000005
【図２】
2019514495.tif 000006
【図３】
2019514495.tif 000007
【図４】
2019514495.tif 000008
【図５】
2019514495.tif 000009
【図６Ａ】
2019514495.tif 000010
【図６Ｂ】
2019514495.tif 000011
【図６Ｃ】
2019514495.tif 000012
【図７Ａ】
2019514495.tif 000013
【図７Ｂ】
2019514495.tif 000014
【図７Ｃ】
2019514495.tif 000015
【図８】
2019514495.tif 000016
【図９Ａ】
2019514495.tif 000017
【図９Ｂ】
2019514495.tif 000018
【図１０Ａ】
2019514495.tif 000019
【図１０Ｂ】
2019514495.tif 000020
【図１１】
2019514495.tif 000021
【図１２】
2019514495.tif 000022
【図１３Ａ】
2019514495.tif 000023
【図１３Ｂ】
2019514495.tif 000024
【図１４Ａ】
2019514495.tif 000025
【図１４Ｂ】
2019514495.tif 000026
【図１５Ａ】
2019514495.tif 000027
【図１５Ｂ】
2019514495.tif 000028
【国際調査報告】
2019514495.tif 000029
2019514495.tif 000030
2019514495.tif 000031